(57)【要約】  本発明はデジタルパソロジーの分野に、特に全スライドスキャナに関する。一次像センサの第１の数のピクセルをサンプリングし、オートフォーカスイメージセンサの第２の数のピクセルをサンプリングすることによってオートフォーカスイメージングが実行されることができ、第２の数は第１の数の１／４乃至３／４である。従って、高速光スキャンのための連続オートフォーカスが光軸に対して傾斜している追加イメージセンサに基づいて提供され得る。
2013531270.tif 000002
【特許請求の範囲】
【請求項１】
顕微鏡のためのオートフォーカスイメージングシステムであって、
関心対象の一次像データを取得するための一次像センサを有する一次像センサ配列と、
前記関心対象の斜め断面のオートフォーカスイメージデータを取得するためのオートフォーカスイメージセンサとを有し、
前記一次像センサは対象空間内の距離当たり第１の数のピクセルをサンプリングするように構成され、
前記オートフォーカスイメージセンサは対象空間内の距離当たり第２の数のピクセルをサンプリングするように構成され、
前記第２の数は前記第１の数の１／４乃至３／４である、
オートフォーカスイメージングシステム。
【請求項２】
前記第２の数が前記第１の数の半分である、請求項１に記載のオートフォーカスイメージングシステム。
【請求項３】
前記一次像センサの分解能がλ／（２ＮＡ）であり、
前記オートフォーカスイメージセンサの分解能がλ／（ＮＡ）である、
請求項１又は２に記載のオートフォーカスイメージングシステム。
【請求項４】
前記オートフォーカスイメージセンサが前記一次像センサの光軸に対して傾斜している、請求項１に記載のオートフォーカスイメージングシステム。
【請求項５】
前記オートフォーカスイメージセンサが前記オートフォーカスイメージングシステムのスキャン方向に傾斜している、請求項１に記載のオートフォーカスイメージングシステム。
【請求項６】
前記対象からのビームを前記一次像センサの方へ向かう第１のビームと前記オートフォーカスイメージセンサの方へ向かう第２のビームに分離するためのビームスプリッタをさらに有し、
前記第２のビームの強度と前記第１のビームの強度の間の比が（１−Ｌ０／Ｌｍａｘ）よりも大きく、Ｌｍａｘは前記一次像センサの時間遅延積分ステージの最大数である、請求項１に記載のオートフォーカスイメージングシステム。
【請求項７】
前記オートフォーカスイメージセンサが可視スペクトルの周波数外の光周波数において前記オートフォーカスイメージデータを取得するように構成される、請求項１に記載のオートフォーカスイメージングシステム。
【請求項８】
前記オートフォーカスイメージングシステムが前記オートフォーカスイメージセンサの暗視野照明のために構成される、請求項１に記載のオートフォーカスイメージングシステム。
【請求項９】
前記一次像センサ配列が第２の一次像センサと第３の一次像センサをさらに有し、
前記一次像センサ配列の一次像センサの各々が異なる波長の光を検出するように構成される、請求項１に記載のオートフォーカスイメージングシステム。
【請求項１０】
前記一次像センサがラインセンサであり、
前記オートフォーカスイメージセンサが２次元センサである、請求項１に記載のオートフォーカスイメージングシステム。
【請求項１１】
前記一次像センサと前記オートフォーカスイメージセンサが同じ検出領域を共有する、請求項１に記載のオートフォーカスイメージングシステム。
【請求項１２】
請求項１に記載のオートフォーカスイメージングシステムを有する顕微鏡。
【請求項１３】
顕微鏡のオートフォーカスイメージングのための方法であって、
一次像センサ配列の一次像センサによって関心対象の一次像データを取得するステップと、
オートフォーカスイメージセンサによって前記関心対象の斜め断面のオートフォーカスイメージデータを取得するステップと、
前記一次像センサのピクセルである、対象空間内の距離当たり第１の数のピクセルをサンプリングするステップと、
前記オートフォーカスイメージセンサのピクセルである、対象空間内の距離当たり第２の数のピクセルをサンプリングするステップとを有し、
前記第２の数が前記第１の数の１／４乃至３／４である、
方法。
【請求項１４】
顕微鏡のオートフォーカスイメージングのためのコンピュータプログラムが記憶されるコンピュータ可読媒体であって、該コンピュータプログラムは前記顕微鏡のプロセッサによって実行されるときに、前記プロセッサに
一次像センサ配列の一次像センサから関心対象の一次像データを取得するステップと、
オートフォーカスイメージセンサから前記関心対象の斜め断面のオートフォーカスイメージデータを取得するステップと、
前記一次像センサのピクセルである、対象空間内の距離当たり第１の数のピクセルをサンプリングするステップと、
前記オートフォーカスイメージセンサのピクセルである、対象空間内の距離当たり第２の数のピクセルをサンプリングするステップとを実行させ、
前記第２の数が前記第１の数の１／４乃至３／４である、
コンピュータ可読媒体。
【請求項１５】
顕微鏡のオートフォーカスイメージングのためのプログラム要素であって、前記顕微鏡のプロセッサによって実行されるときに、前記プロセッサに
一次像センサ配列の一次像センサから関心対象の一次像データを取得するステップと、
オートフォーカスイメージセンサから前記関心対象の斜め断面のオートフォーカスイメージデータを取得するステップと、
前記一次像センサのピクセルである、対象空間内の距離当たり第１の数のピクセルをサンプリングするステップと、
前記オートフォーカスイメージセンサのピクセルである、対象空間内の距離当たり第２の数のピクセルをサンプリングするステップとを実行させ、
前記第２の数が前記第１の数の１／４乃至３／４である、
プログラム要素。
【発明の詳細な説明】
【技術分野】
【０００１】
本発明はとりわけデジタルパソロジーの分野に関する。特に、本発明は顕微鏡のためのオートフォーカスイメージングシステム、オートフォーカスイメージングシステムを有する顕微鏡、顕微鏡のオートフォーカスイメージングのための方法、コンピュータ可読媒体及びプログラム要素に関する。
【背景技術】
【０００２】
デジタルパソロジーにおいて、特に全スライドスキャンの場合、分析目的及び教育目的で標本がスライスされ撮像される。全組織スライドをスキャンするためにラインセンサが使用され得る。こうしたスライドスキャナは連続的機械的スキャンを実行し、それによってスティッチング問題を軽減し、照明の低照度に対応するためにいわゆる時間遅延積分（ＴＤＩ）ラインセンサの使用を可能にする。
【０００３】
フォーカシングのために焦点マップが使用され得る。実際のスキャンの前に最適焦点位置がスライド上の複数の位置において決定される。これが"焦点マップ"を生じる。この手順は、図１に見られる通り組織層の軸方向位置がスライドにわたって数マイクロメートルで異なり得るため、必要であり得る。従って組織層の変動は顕微鏡対物レンズの焦点深度よりも大きくなり得る。スキャン中対物レンズの焦点位置は選択される測定位置上の測定される最適焦点設定間を補間する軌道上に設定される。この手順は誤差を生じやすいとともに時間も消費し得るので、システムのスループットを制限する。
【０００４】
ＷＯ２００５／０１０４９５Ａ２は顕微鏡スライドのデジタル画像を生成するためのシステムと方法を記載し、顕微鏡はメインカメラと、光軸に対して傾斜したフォーカスカメラを有する。
【発明の概要】
【発明が解決しようとする課題】
【０００５】
しかしながら、オートフォーカス機能の性能は不十分であり得る。
【０００６】
改良された性能を持つオートフォーカスイメージングシステムを持つことが望まれ得る。
【課題を解決するための手段】
【０００７】
本発明の第一の態様によれば、一次像センサとオートフォーカスイメージセンサを有する顕微鏡のためのオートフォーカスイメージングシステムが提供される。一次像センサは組織スライドなどの関心対象の一次像データを取得するのに適している。オートフォーカスイメージセンサは関心対象の斜め断面のオートフォーカスイメージデータを取得するのに適している。一次像センサはさらに対象空間内の距離当たり第１の数のピクセルをサンプリングするのに適しており、オートフォーカスイメージセンサはさらに対象空間内の距離当たり第２の数のピクセルをサンプリングするのに適しており、第２の数は第１の数の１／４乃至３／４である。
【０００８】
言い換えれば、オートフォーカスイメージセンサは一次像センサよりも対象空間内の距離当たり少ない数のピクセルをサンプリングする。少数のピクセルをサンプリングすることによって、計算負荷及びサンプリング時間も削減され得る。さらに、一次像センサによってサンプリングされるピクセルの１／４以上をサンプリングすることによって、オートフォーカスセンサ信号の品質が最適化され得る。
【０００９】
一実施形態例によれば、第２の数は第１の数の半分である。言い換えれば、オートフォーカスイメージセンサは一次像センサにおける対象空間内の距離当たりピクセル数の半分をサンプリングする。
【００１０】
一次像センサアセンブリは１つのラインセンサを有し得るか、又は１つよりも多くのラインセンサ、例えば３若しくはそれ以上のラインセンサを有し得る。各ラインセンサは異なる波長若しくは波長範囲を検出し得る。例えば、１つのラインセンサは緑色光を検出し、２つ目は赤色光を、及び３つ目のラインセンサは青色光（のみ）を検出し得る。
【００１１】
別の実施形態例によれば、オートフォーカスイメージセンサは関心対象からオートフォーカスイメージセンサの方へ放射の光軸に対して傾斜し、例えば一次像センサの光軸に対して傾斜している。このようにセンサ上の組織層の位置はデフォーカスの量の尺度である。
【００１２】
別の実施形態例によればオートフォーカスイメージセンサは可視スペクトルの周波数外の光周波数においてオートフォーカスイメージデータを取得するのに適している。
【００１３】
別の実施形態例によればオートフォーカスイメージングシステムはオートフォーカスイメージセンサの暗視野照明に適している。
【００１４】
言い換えれば、関心対象は伝搬方向のセットを有するビームで照射され、これらの伝搬方向の角度がオートフォーカスイメージングセンサの検出開口に対する角度よりも大きくなるようになっている。このように様々な面（空気、カバーガラス、カバーガラス‐組織層、組織層‐スライド、スライド‐空気）から反射される光は最後にオートフォーカスイメージセンサに行き着くことができない。実際、全ての低い対象空間周波数はブロックされ、組織から発する信号のみ（十分に高い空間周波数を持つ）がオートフォーカスイメージセンサにおいて検出され得る。これは組織層の軸方向位置が測定され得るロバスト性と精度を向上させ得る。
【００１５】
本発明の第２の態様によれば、上記及び下記のイメージングシステムを有する顕微鏡が提供される。
【００１６】
本発明の一実施形態例によれば、顕微鏡はデジタルパソロジー用スライドスキャナとして構成される。
【００１７】
本発明の別の態様によれば、顕微鏡のオートフォーカスイメージングのための方法が提供され、関心対象の一次像データが一次像センサによって取得され、関心対象の斜め断面のオートフォーカスイメージデータがオートフォーカスイメージセンサによって取得され、対象空間内の距離当たり第１の数のピクセルがサンプリングされ、第１の数のピクセルは一次像センサのピクセルであり、対象空間内の距離当たり第２の数のピクセルがサンプリングされ、第２の数のピクセルはオートフォーカスイメージセンサのピクセルである。第２の数は第１の数の１／４乃至３／４である。
【００１８】
本発明の別の態様によれば、顕微鏡のプロセッサによって実行されるときにプロセッサに上記及び／又は下記の方法ステップを実行させる顕微鏡のオートフォーカスイメージングのためのコンピュータプログラムが中に記憶される、コンピュータ可読媒体が提供される。
【００１９】
さらに、本発明の別の態様によれば、顕微鏡のプロセッサによって実行されるときにプロセッサに上記及び／又は下記の方法ステップを実行させる顕微鏡のオートフォーカスイメージングのためのプログラム要素が提供される。
【００２０】
コンピュータ可読媒体はフロッピーディスク、ハードディスク、ＣＤ、ＤＶＤ、ＵＳＢ（ユニバーサルシリアルバス）記憶デバイス、ＲＡＭ（ランダムアクセスメモリ）、ＲＯＭ（リードオンリーメモリ）及びＥＰＲＯＭ（消去・プログラム可能リードオンリーメモリ）であり得る。コンピュータ可読媒体はプログラムコードのダウンロードを可能にする例えばインターネットなどのデータ通信ネットワークであってもよい。
【００２１】
２次元センサであり得るオートフォーカスイメージングセンサが対象空間内の距離当たり少数のピクセルをサンプリングし、一次センサはラインセンサであり得るか若しくは１つよりも多くのラインセンサを有し得ることが本発明の一実施形態例の要点と見なされ得る。例えば、オートフォーカスセンサは一次センサのピクセル数の半分をサンプリングする。
【００２２】
本発明のこれらの及び他の態様は以下に記載の実施形態から明らかとなり、それらを参照して解明される。
【００２３】
本発明の実施形態例は以下の図面に関して以下に記載される。
【図面の簡単な説明】
【００２４】
【図１】組織スライドアセンブリの断面を示す。
【図２】傾斜したオートフォーカスイメージセンサを示す。
【図３】ＭＴＦに対するデフォーカスの効果を示す。
【図４】デフォーカスＭＴＦ対ゼロデフォーカスＭＴＦの比を示す。
【図５】本発明の一実施形態例にかかるオートフォーカスイメージングシステムを持つ顕微鏡を示す。
【図６】本発明の別の実施形態例にかかるオートフォーカスイメージングシステムを持つ顕微鏡を示す。
【図７】本発明の別の実施形態例にかかるオートフォーカスイメージングシステムを持つ顕微鏡を示す。
【図８】本発明の一実施形態例にかかる顕微鏡システムを示す。
【図９】本発明の一実施形態例にかかる方法のフローチャートを示す。
【発明を実施するための形態】
【００２５】
図面の図は概略である。異なる図面において同様の若しくは同一の要素は同じ参照数字を与えられる。
【００２６】
以下、符号に伴うプライム記号（'）は像空間が考慮される（例えばセンサ参照）ことを意味し、一方プライム記号なしの符号は対象空間が考慮される（典型的にはサンプル参照）ことを意味する。例えば、角度ベータプライム（β'）がこの記載において使用されるときは、像空間内の回転、及びより具体的に記載される通り、物理的センサの回転が示される。また、角度ベータ（プライムなしのβ）は対象空間内の回転を示し、より具体的に記載される通り、オートフォーカスセンサによって撮像されるサンプルの斜め断面の回転を示す。
【００２７】
図１は１ｍｍの典型的な厚さを持つ顕微鏡スライド１、０．１７ｍｍの典型的な厚さを持つカバーガラス２、組織層４を固定し密封するための封入剤３を有する組織スライドアセンブリの略断面図を示す。組織層は典型的には約５μｍの厚さで、封入層は組織層を含み、典型的には１０‐１５μｍの厚さである。封入剤はカバーガラスがスライドに取り付けられる前に液状で組織層とともにスライドに適用され、その後封入液は凝固し、従って劣化に対する安定性を与えるために組織層を機械的に固定し、外部環境から密封する。組織層の軸方向位置はスライドにわたって数μｍ以内で変動し得る。
【００２８】
組織層の軸方向位置が変動するため、スキャン中に最適分解能を提供するために焦点が連続的に調節されなければならない可能性がある。
【００２９】
"焦点マップ"法の使用の代替案は連続オートフォーカスシステム、すなわちデジタル画像を取得するための実際のスキャン中に最適焦点位置を連続的に測定し対物レンズの軸方向位置を適応させる追加システムの使用である。オートフォーカスシステムは取得画像におけるコントラストの最適化に基づき得る。コントラスト最適化のために様々な行列が使用され得る。しかしながら、焦点誤差（焦点以上若しくは以下）の正弦はこの方法では決定されることができず、すなわち焦点誤差信号は極性ではない。これは最適焦点設定の恒久的な更新を必要とする連続オートフォーカスシステムにとって不都合であり得る。
【００３０】
オートフォーカスシステムは光ディスク内など、対象面若しくはその付近の基準面において反射されるラインを使用し得る。しかしながら、組織スライドに適用されるときのこの方法の欠点は、関連インターフェース（顕微鏡スライドと組織層の間及び組織層とカバーガラスの間）が低い反射率を持ち、反射信号が組織層付近から生じる散乱によって変形され、従ってロバスト性を有するということであり得る。
【００３１】
よい代替案は光軸に対して傾斜した追加センサの使用である。このオートフォーカスイメージセンサは図２に図示の通り対象の斜め断面の像を作る。この断面は組織層の軸方向位置に依存して、若しくは対物レンズの焦点面に対して、いくつかの点において組織層を通過し得る。このようにセンサ上の組織層の位置はデフォーカスの量の尺度である。これらの態様についてのさらなる詳細については、読者は欧州特許出願Ｎｏ．０９３０６３５０を参照すればよい。
【００３２】
図２から見られる通り傾斜したオートフォーカスイメージセンサは組織スライドアセンブリの斜め断面５の像を作る。傾斜はスキャン方向６にある。センサはＮｘピクセルを持ち、スキャン方向にピクセル当たりΔｘで、及び軸方向にピクセル当たりΔｚで対象をサンプリングする。
【００３３】
例えば、オートフォーカスイメージングシステムは組織層の白色光イメージングを損なわないように可視スペクトル外の波長を用いて動作する。例えばオートフォーカスシステムは、紫外線放射が組織を損傷する可能性があり、赤外線放射よりも複雑な及び／又は高価な光学部品を必要とし得るため、可視スペクトルの赤外線側の波長を用いて動作する。
【００３４】
一実施形態例において、追加オートフォーカスイメージはいわゆる暗視野照明を用いることによって提供され得る。これによって、サンプルは既に上記した通り伝搬の方向のセットを有するビームで照射される。
【００３５】
傾斜したオートフォーカスセンサが高スループットイメージング用の時間遅延積分（ＴＤＩ）ラインセンサ（一次像センサ）と組み合わされる場合問題が生じ得る。こうしたＴＤＩ‐ラインセンサは各対象ピクセルをＬ回記録し、ステージＬの数は典型的には１２８までであることができる。これは総積分時間、及び従って信号レベルが従来のシングルラインセンサと比較してＬ倍に増加するという効果を持つ。これはシステムのスキャン速度を増加させるために使用される。
【００３６】
かかるシステムの設計における合理的な開始点は、像において同じレベルの鮮明さをテストすることができるようにするために（ＴＤＩベースの）イメージセンサの分解能Ｒｉｍにおおよそ等しいオートフォーカスセンサの分解能Ｒａｆを持つことを必要とし得る。発明者らの新たな見識は、これが以下の考察から明らかになる通りオートフォーカスイメージセンサの信号レベルに関する問題を暗示するということである。線形スキャン速度νとするとイメージセンサのライン速度は：
【数１】
2013531270.tif 000003
（注：ピクセルサイズ＝分解能の半分）総積分時間ＬＴｉｍを作る。モーションブラーを防ぐために、オートフォーカスセンサは収集時間が
【数２】
2013531270.tif 000004
となるようなシャッターを持たなければならない。
【００３７】
対物レンズ後のビームはビームスプリッタによって２つの部分に分けられ、割合ηはオートフォーカスセンサの方へ向けられ、割合１−ηはイメージセンサの方へ向けられる。スライドが強度Ｂ（面積当たり入射電力）で照射される場合、イメージセンサ及びオートフォーカスイメージセンサにおける信号レベルは次式によって与えられる：
【数３】
2013531270.tif 000005
ηｉｍはイメージセンサ（量子）効率であり、ηａｆはオートフォーカスセンサ（量子）効率である。これらのセンサ効率はおおよそ等しいと仮定され得る。２つの比は：
【数４】
2013531270.tif 000006
【００３８】
Ｌ０＝（１−η）Ｌがオートフォーカスセンサが使用されなかった場合に必要とされ得るステージの数である場合、
2013531270.tif 000007
及び
2013531270.tif 000008
とすると次式のようになる：
【数５】
2013531270.tif 000009
【００３９】
明らかに、オートフォーカスセンサにおける信号レベルはイメージセンサにおける信号レベルよりもかなり小さい。結果として、オートフォーカスセンサ信号は比較的ノイズが多くなり、これはフォーカスエラー信号の精度を損なう。
【００４０】
イメージセンサに対する分解能要件と比較してオートフォーカスセンサに対する分解能要件にはかなりの冗長性が存在し得る。この見識はいわゆる変調伝達関数（ＭＴＦ）に対するデフォーカスの効果の研究から得られ、これは空間周波数（周期ｐの逆数）の関数として周期的な対象の像における変調と対象自体における変調の比率である。等しいコンデンサと対物レンズＮＡを持つ簡略化した１Ｄケースの場合のデフォーカスの関数として、ＭＴＦは次式によって与えられる：
【数６】
2013531270.tif 000010
【００４１】
ｓｉｎｃ（ｘ）＝ｓｉｎ（ｘ）／ｘとすると、ｑ＝λ／ｐＮＡは正規化空間周波数であり、β＝ΔｚＮＡ２／２ｎλがデフォーカスパラメータである。図３は公称インフォーカス状態３０１の場合とデフォーカス３０２の場合のＭＴＦを示す。ｘ軸３０３は正規化空間周波数を描きｙ軸３０４はＭＴＦ値を描く。
【００４２】
図４は２つのＭＴＦ関数３０１，３０２の比４０１を示す。ｙ軸４０３はＭＴＦ比を描き；最小値４０２が１に等しいｘ値で観察され得る。両ＭＴＦ関数は２ＮＡ／λにおいてカットオフを示し（これがいわゆる'回折限界'）、これは従来の顕微鏡の極限分解能限界である。２つのＭＴＦ関数の比は中間空間周波数についての下落を示す。この分析からわれわれは以下のことを結論づけ得る：
‐一次像センサの分解能は好適には２ＮＡ／λ空間周波数カットオフに対するいわゆるナイキスト基準によってＲｉｍ＝λ／２ＮＡに決定される（従ってピクセルサイズＭｉｍλ／４ＮＡ、Ｍｉｍは対象から像センサへの倍率）。
‐オートフォーカスセンサの分解能は好適には空間周波数カットオフの半分に対するデフォーカス感度の最大値によってＲａｆ＝λ／ＮＡに決定される（従ってピクセルサイズＭａｆλ／２ＮＡ、Ｍａｆは対象からオートフォーカスセンサへの倍率）。
【００４３】
一実施形態例によればオートフォーカスイメージセンササンプリング（対象空間におけるピクセル／ｍ）はイメージセンササンプリングよりも３／４乃至１／４、又は例えば少なくとも２倍小さく選択される。これはデフォーカス感度とオートフォーカス対イメージ信号比の間のよい妥協を与える。好適には、ビームスプリッタ割合ηはオートフォーカスセンサ信号がイメージセンサ信号と比較して十分に高くなるように適用される。好適には、パラメータ設定はＴＤＩベースラインセンサが十分に高いイメージセンサ信号を維持するために十分な冗長性を持つようになっており、すなわちη＞１−Ｌ０／Ｌｍａｘ、ＬｍａｘはＴＤＩステージの最大数である。
【００４４】
これは、分解能の差（特にオートフォーカスセンサの低分解能）が一次像撮像センサに対してオートフォーカスセンサの速度を増加するという唯一の目的にかなう、撮像されている対象内の面に対して傾斜していないオートフォーカス用専用イメージセンサの追加に基づく二次カメラオートフォーカス法の実施とは異なる。また、ピクセル数の削減はいくつかの実施形態について少なくとも３の倍数、及び少なくとも１０の倍数として記載される。図３の下部のグラフにおける最小値に見られる通り、発明者らは特にちょうど２の分解能の減少において最適値を見つけた。しかしながら第２の実施形態の実際の範囲は４／３乃至倍数４の範囲であり得る。
【００４５】
オートフォーカスシステムの深度範囲Δｚｔｏｔは他のパラメータの現実的な設定のために十分に大きくなければならない。オートフォーカスイメージセンサはスキャン方向にＮｘピクセルを持ち、ピクセルサイズｂである。センサは横方向と軸方向のサンプリングが次式によって与えられるように角度β'で傾斜される：
【数７】
2013531270.tif 000011
【００４６】
対象（組織スライド）における横方向と軸方向のサンプリングは次式によって与えられる：
【数８】
2013531270.tif 000012
Ｍは倍率でありｎは対象の屈折率である。対象における軸方向サンプリングは次式となる：
【数９】
2013531270.tif 000013
【００４７】
Ｎｘピクセル存在するので総深度範囲は次式となる：
【数１０】
2013531270.tif 000014
【００４８】
表１は本発明にかかるパラメータ設定の一実施例を示す。この実施例においてオートフォーカス分解能は２×０．９μｍであり、イメージ分解能は好適には約２×０．２５μｍである（２０×／ＮＡ０．７５顕微鏡対物レンズを使う）。
【００４９】
限定されない実施例として、図５は顕微鏡の一部と特に光路の結像分岐を示す。エピモード暗視野照明についての実施形態が図６に示される。
【００５０】
スライド１とカバーガラス２（及び組織層４、不図示）を通過する光は背面開口２１で対物レンズ２０によって捕らえられ、非散乱ビームはブロックされる。カラースプリッタ２２は、デジタル組織画像を生成するためのラインセンサ２４の形で構成され得る第１、第２及び第３の一次像センサ２４，３２，３３を有し得るイメージセンサ配列にチューブレンズ２３によって結像される白色光を分離する。赤外光は第２のチューブレンズ２５によってオートフォーカスイメージセンサ２６に結像され、これは関心対象からオートフォーカスイメージセンサ２６の方へ放射の光軸３１に対して傾斜している。この開示の文脈において"一次像センサの光軸に対して傾斜している"とは、オートフォーカスイメージセンサに衝突する関心対象からの放射がオートフォーカスイメージセンサに垂直に衝突しないことを意味する。しかしながら、関心対象から一次像センサの方へ進む放射は一次像センサに垂直に衝突し得るが、これは既に本明細書で上記した通り必要ではない。組織によって散乱される光線は開口２１を通過することができ、オートフォーカスイメージセンサ２６に結像される。
【００５１】
図６はレーザダイオード１４を持つオートフォーカスイメージングシステム５００を備える顕微鏡のエピモード暗視野照明についての光学配置を示し、照明は結像分岐と統合されている。例えば０次の回折次数Ｓ'０、ａ＋１ｓｔ次数Ｓ'＋１及びa−１ｓｔ次数Ｓ'−１の回折次数を生成するために２つの交差した格子１５がレーザダイオード１４の後に配置される。さらに、暗視野照明ビームの幅を制限するために視野絞り１６が格子１５の近くに配置され、コリメータレンズ１７がレーザダイオード１４からの光をコリメートする。
【００５２】
コリメータレンズ１７を通過した後でビームを分離する偏光ビームスプリッタ２８が設けられる。さらに、顕微鏡は１／４波長板２９を有する。構成要素２８と２９の両方がレーザから発生するビームを対物レンズの方へ向け、組織から発生する散乱光をオートフォーカスイメージセンサの方へ垂直にすることを担当する。
【００５３】
図７は顕微鏡５００のマルチスポット照明のための光学配置を示し、この照明は結像分岐と統合される。レンズ１７はスポットのアレイ３０を生じるためのスポット発生器に入射するビームをコリメートする。アセンブリ全体を傾斜させることによって、得られる入射スポットアレイとスライドも傾斜するようにスポットアレイが傾斜することができる。スポット発生器２９は低ＮＡビームのアレイを生じ、これは顕著な収差を導入することなくビームスプリッタ２７を通過することができる。
【００５４】
図７の実施形態においてスポットのアレイはオートフォーカスイメージセンサによって撮像される斜め断面５を照射するために使用される。組織にフォーカスされるスポットは、スポットがフォーカスされる領域の吸収率と屈折率がスキャンとともに変化するため、時間依存性の散乱を経験し得る。オートフォーカスイメージセンサに結像されるスポットの時間依存性を調べることによって、組織層の軸方向位置が見つけられ得る。つまり、焦点近くでは高分解能情報が目に見え、焦点から離れるとこれはぼやける。結果として、比較的小さい時間スケールでの信号変動は組織層が焦点面と一致するときに最大となり得る。
【００５５】
図８はコンピュータなどのユーザインターフェース８０１に接続されるプロセッサ若しくは処理ユニット８００に接続されるオートフォーカスイメージングシステム５００を備える顕微鏡を有する顕微鏡システム８０２を示す。
【００５６】
図９は一実施形態例にかかる方法のフローチャートを示す。ステップ９０１において一次及び二次、すなわち関心対象のオートフォーカスイメージデータが一次像センサとオートフォーカスイメージセンサによってそれぞれ取得される。ステップ９０２において一次像センサのピクセルがサンプリングされる。ステップ９０３において（ステップ９０２の前、後若しくは同時であり得る）オートフォーカスイメージセンサの対象空間内の距離当たり所定数のピクセルがサンプリングされる。この数は一次像センサのサンプリングされたピクセルの数よりも小さい。そして、ステップ９０４において、顕微鏡の焦点がサンプリングに基づいて調節される。
【００５７】
従って、一次像センサの焦点は自動的に調節され得る。
【００５８】
本発明の別の実施形態において、本発明の原理は、本発明の出願人が既に欧州特許出願Ｎｏ．０９３０６３５０の下で提案した、及び本明細書に引用によって組み込まれるセンサに有利に適用され得る。
【００５９】
結果として、この実施形態によれば一次像センサとオートフォーカスイメージセンサは同じ検出領域を共有し得る。言い換えれば、一次像センサとオートフォーカスイメージセンサはオートフォーカスと画像取得両方のために使用される検出領域（典型的にはピクセルから形成される）を持つ固有センサを一緒に形成し得る。
【００６０】
この実施形態によれば、大きなオートフォーカスピクセルは一次像ピクセルのアレイ若しくはアレイ群の隣に位置する若しくはその中に混合する実際の物理的ピクセルであり得るか、又はオートフォーカスピクセルは一次像ピクセルの２つ以上を大きなバーチャルオートフォーカスピクセルに組み合わせることによって得られるバーチャルピクセルであり得る。かかる組み合わせはセンサ自体において、若しくは別の処理ユニットにおいてなされ得る。
【００６１】
上記オートフォーカスシステムはデジタルパソロジー及び高速マイクロスキャンの他の分野に応用される。
【００６２】
本発明は図面と上記説明において詳細に図示され記載されているが、かかる図示と記載は例示若しくは説明であって限定ではないと見なされるものとし、本発明は開示の実施形態に限定されない。開示の実施形態への他の変更は図面、開示、及び添付のクレームの考察から、請求された発明を実践する当業者によって理解されもたらされることができる。クレームにおいて"有する"という語は他の要素若しくはステップを除外せず、不定冠詞"ａ"若しくは"ａｎ"は複数を除外しない。特定の手段が相互に異なる従属クレームに列挙されるという単なる事実は、これらの手段の組み合わせが有利に使用されることができないことを示すものではない。クレーム中の任意の参照符号は範囲を限定するものと解釈されてはならない。
【表１】
2013531270.tif 000015
【符号の説明】
【００６３】
１      顕微鏡スライド
２      カバーガラス
３      封入剤
４      組織層
５      斜め断面
６      スキャン方向
１４    レーザダイオード
１５    ２つの交差格子
１６    視野絞り
１７    コリメータレンズ
１８    ０次光線をブロックするための絞り
２０    対物レンズ
２１    背面開口
２２    カラースプリッタ
２３    チューブレンズ
２４    第１の一次像センサ
２５    チューブレンズ
２６    オートフォーカスイメージセンサ
２８    ビームスプリッタ
２９    １／４波長板
３１    光軸
３２    第２の一次像センサ
３３    第３の一次像センサ
３０１  公称インフォーカス状態のＭＴＦ
３０２  デフォーカス状態のＭＴＦ
３０３  ｘ軸（正規化空間周波数）
３０４  ｙ軸（ＭＴＦ）
４０１  ＭＴＦ関数３０１，３０２の比
４０２  最小値
４０３  ｙ軸（ＭＴＦ関数３０１，３０２の比）
５００  オートフォーカスイメージングシステム
８００  プロセッサ
８０１  ユーザインターフェース
８０２  顕微鏡システム
９０１  方法ステップ
９０２  方法ステップ
９０３  方法ステップ
９０４  方法ステップ
【図１】
2013531270.tif 000016
【図２】
2013531270.tif 000017
【図３】
2013531270.tif 000018
【図４】
2013531270.tif 000019
【図５】
2013531270.tif 000020
【図６】
2013531270.tif 000021
【図７】
2013531270.tif 000022
【図８】
2013531270.tif 000023
【図９】
2013531270.tif 000024
【国際調査報告】
2013531270.tif 000025
2013531270.tif 000026